(57)【要約】      （修正有）【課題】確実な除菌効果を得ることのできる空間除菌清浄化装置を提供する。【解決手段】筐体１２の吸気口１８及び排気口２０を互いに連通する送風路と、筐体１２内に配設され、水に次亜塩素酸水生成用の粉末を溶解させて生成された次亜塩素酸水を貯水するための貯水槽４２と、送風路中に通風可能に配設され、含水可能な除菌フィルタと、この除菌フィルタに、貯水槽４２に貯水された次亜塩素酸水を上方から流し落としして、次亜塩素酸水を含侵させる次亜塩素酸水供給手段４８と、この除菌フィルタよりも、吸気口１８側の送風路内に配置された除塵用のＨＥＰＡフィルタ３２と、吸気口１８から導入された外気を、ＨＥＰＡフィルタ３２及び除菌フィルタを順次通風して、排気口２０から排出する空気流を、送風路内に生成する送風手段とを具備し、ＨＥＰＡフィルタ３２で除塵され、次亜塩素酸水を含侵した除菌フィルタを通風することにより筐体１２の周囲の空間を除菌・清浄化する。【選択図】図３
0003228240.tif 000002
【実用新案登録請求の範囲】
【請求項１】
吸気口及び排気口が形成された筐体と、
この筐体の吸気口及び排気口を互いに連通する送風路と、
前記筐体内に配設され、水に次亜塩素酸水生成用の粉末を溶解させて生成された次亜塩素酸水を貯水するための貯水槽と、
前記送風路中に通風可能に配設され、含水可能な除菌フィルタと、
この除菌フィルタに、前記貯水槽に貯水された次亜塩素酸水を上方から流し落として、該次亜塩素酸水を含侵させる次亜塩素酸水供給手段と、
この除菌フィルタよりも、前記吸気口側の前記送風路内に配置された除塵用のＨＥＰＡフィルタと、
前記吸気口から導入された外気を、前記ＨＥＰＡフィルタ及び前記除菌フィルタを順次通風して、前記排気口から排出する空気流を、前記送風路内に生成する送風手段と、
を具備し、
前記ＨＥＰＡフィルタで除塵され、前記次亜塩素酸水を含侵した除菌フィルタを通風することにより次亜塩素酸により除菌された空気を、清浄空気として前記排気口から前記筐体外に排気して、前記筐体の周囲の空間を除菌・清浄化することを特徴とする空間除菌清浄化装置。
【請求項２】
前記次亜塩素酸水は、前記筐体外で、水が収容された容器中に、次亜塩素酸水生成用の粉末を投入して生成され、この容器から前記貯水槽に投入されることを特徴とする請求項１に記載の空間除菌清浄化装置。
【請求項３】
前記次亜塩素酸水は、前記筐体内で、水が収容された前記貯水槽に、次亜塩素酸水生成用の粉末を投入することにより生成されることを特徴とする請求項１に記載の空間除菌清浄化装置。
【請求項４】
前記貯水槽内に貯留された次亜塩素酸水は、電解生成され得る次亜塩素酸水の濃度よりも濃い濃度に設定されていることを特徴とする請求項２又は３に記載の空間除菌清浄化装置。
【請求項５】
前記次亜塩素酸水生成用の粉末は、ジクロロイソシアヌル酸塩を主成分とすることを特徴とする請求項１に記載の空間除菌清浄化装置。
【請求項６】
前記除菌フィルタは、次亜塩素酸水を含侵した状態で、ここを通風する空気中に存在するウィルスを該次亜塩素酸により不活化することを特徴とする請求項１に記載の空間除菌清浄化装置。
【請求項７】
前記次亜塩素酸水は、微酸性に調整されていることを特徴とする請求項１に記載の空間除菌清浄化装置
【請求項８】
前記ＨＥＰＡフィルタは、ＰＭ２．５の除塵能力を発揮するよう形成されていることを特徴とする請求項１に記載の空間除菌清浄化装置。
【請求項９】
前記ＨＥＰＡフィルタよりも、吸気口側の前記送風路内に、該送風路内を送付される空気を脱臭する脱臭フィルタが配設されていることを特徴とする請求項１に記載の空間除菌清浄化装置。
【請求項１０】
前記脱臭フィルタは、活性炭を含有することを特徴とする請求項９に記載の空間除菌清浄化装置。
【考案の詳細な説明】
【考案の詳細な説明】
【技術分野】
【０００１】  この考案は本装置が設置された周囲空間を除菌し清浄化する空間除菌清浄化装置に関する。
【背景技術】
【０００２】  空気清浄機や加湿機には、これまでにも様々な工夫が盛り込まれている。例えば実用新案登録文献１記載の加湿機では、加湿用の水槽の水を電気分解して次亜塩素酸を含む電解水を生成し、この次亜塩素酸を水槽の水や加湿フィルタの除菌に利用している。実用新案登録文献２記載の加湿機では、加湿用の水の一部を電気分解して電解水を生成し、この電解水をミスト化し、加湿された空気に乗せて機外に放散することにより、室内空気の除菌や脱臭に役立てている。【０００３】  特許文献１に記載のものでは、加湿部の除菌はできるが、室内空気の除菌や脱臭はできない。特許文献２に記載のものでは、室内空気の除菌や脱臭は可能であるが、構造上、加湿をしながらでないと、室内空気の除菌や脱臭はできない。【０００４】  このため、両特許文献１、２の出願人と同一出願人より、両特許文献１，２を従来技術とした特許出願が、特許文献３として出願されている。
【先行技術文献】
【特許文献】
【０００５】
【特許文献１】特開２００６−５７９９５号公報  （国際特許分類：Ｆ２４Ｆ６／００）
【特許文献２】特開２００９−２１６３２０号公報  （国際特許分類：Ｆ２４Ｆ６／１６、Ｆ２４Ｆ７／００、Ｃ０２Ｆ１／４６）
【特許文献３】特開２０１１−１３７６０５号公報  （国際特許分類：Ｆ２４Ｆ６／００）
【考案の概要】
【考案が解決しようとする課題】
【０００６】  しかしながら、特許文献３に記載の加湿機においては、確かに空気清浄フィルタ２１を備えて導入した外気の除塵が行われていたが、加湿空気を作り出す次亜塩素酸水の濃度は１ｐｐｍと僅かで除菌機能は実質的に付帯しておらず、電解水ミスト生成装置６５により室内に放出される電解水ミストの次亜塩素酸水の濃度は５ｐｐｍと、主としてこの電解水ミストにより除菌が実行されるように構成されており、装置が複雑となっており、改善が要望されていた。【０００７】    また、特許文献３の明細書中、［００２０］に記載されている通り、「空気清浄化装置２０は空気清浄フィルタ２１により構成される。空気清浄フィルタ２１は粗塵用フィルタ、脱臭フィルタ、細塵用フィルタなどを組み合わせたものである。」とのみ記載されているだけで、その具体的な仕様に関する記載も無ければ、これを示唆する記載もない。【０００８】  更に言及すれば、特許文献３においては、加湿機により加湿された空気を室内に排出される際に、湿気を帯びた空気の除塵を達成することを目的とするのみで、加湿に供されなかった電解水が加湿用貯水槽５７に回収される際に、この電解水に外気に含まれる微細な塵が混入して、加湿用貯水槽５７に貯水される水を微細な塵が汚染することを防止できない状況であった。特に、加湿用貯水槽５７に貯水される水が微細な塵により汚染されると、水の電気抵抗値が増大して、電解時の電圧が充分に得られず、次亜塩素酸水の生成効率が悪くなる問題点が指摘され、解決が強く要望されていた。
【考案の目的】
【０００９】  この考案は、上述した事情に鑑みなされたもので、次亜塩素酸水を用いて空間を除菌すると共に清浄化する空間除菌清浄化装置において、次亜塩素酸水の濃度を広範囲に設定することが出来、特に、電解により生成される次亜塩素酸水の濃度よりも高い濃度の次亜塩素酸水を用いて除菌することにより、確実な除菌効果を得ることのできる空間除菌清浄化装置を提供することを目的とする。
【００１０】  上記目的を達成するために、この考案に係わる空間除菌清浄化装置は、請求項１の記載によれば、吸気口及び排気口が形成された筐体と、この筐体の吸気口及び排気口を互いに連通する送風路と、前記筐体内に配設され、水に次亜塩素酸水生成用の粉末を溶解させて生成された次亜塩素酸水を貯水するための貯水槽と、前記送風路中に通風可能に配設され、含水可能な除菌フィルタと、この除菌フィルタに、前記貯水槽に貯水された次亜塩素酸水を上方から流し落としして、該次亜塩素酸水を含侵させる次亜塩素酸水供給手段と、この除菌フィルタよりも、前記吸気口側の前記送風路内に配置された除塵用のＨＥＰＡフィルタと、前記吸気口から導入された外気を、前記ＨＥＰＡフィルタ及び前記除菌フィルタを順次通風して、前記排気口から排出する空気流を、前記送風路内に生成する送風手段とを具備し、前記ＨＥＰＡフィルタで除塵され、前記次亜塩素酸水を含侵した除菌フィルタを通風することにより次亜塩素酸により除菌された空気を、清浄空気として前記排気口から前記筐体外に排気して、前記筐体の周囲の空間を除菌・清浄化することを特徴としている。
【００１１】  このように請求項１に記載の空間除菌清浄化装置を構成することにより、次亜塩素酸水は、水に次亜塩素酸水生成用の粉末を溶解させて生成するようになされているので、電解により次亜塩素酸水を生成させる場合と比較して、次亜塩素酸の濃度を比較的広い範囲で、且つ、相対的に高濃度に設定することが出来、その利用範囲が広がる効果を達成することができることになる。また、除菌フィルタを通風する空気は、水に次亜塩素酸水生成用の粉末を溶解して生成され、除菌フィルタに上方から掛け落とされて十分に含侵された次亜塩素酸水に触れて、該次亜塩素酸水に含まれる次亜塩素酸により除菌され、排気口から機外に排出されることになる。このように、この装置が設置された空間の空気（外気）は、除菌フィルタを通風する際に除菌フィルタに含侵された次亜塩素酸水中の次亜塩素酸水に触れて、次亜塩素酸水中の次亜塩素酸により除菌されるものであり、これにより、外気の除菌を達成するものである。尚、本装置においては、次亜塩素酸水をミスト化して加湿蒸気として外気に放出し、ミスト化された次亜塩素酸水により外気を除菌する従来の加湿器タイプの装置とは、その除菌機序を全く異ならせるものであり、本装置は決して次亜塩素酸水の蒸気を周囲空間に排出するものではなく、ましてや次亜塩素酸水の蒸気を人が吸い込んで引き起こされる危険性を有するものでなく、次亜塩素酸の除菌効果を利用しつつ、人体の健康にも十分な配慮がなされた状態で、空間除菌・清浄化効果を発揮することのできるものである。
【００１２】  また、この考案に係わる空間除菌清浄化装置は、請求項２の記載によれば、前記次亜塩素酸水は、前記筐体外で、水が収容された容器中に、次亜塩素酸水生成用の粉末を投入して生成され、この容器から前記貯水槽に投入されることを特徴としている。
【００１３】  このように、請求項２に記載の空間除菌清浄化装置を構成することにより、筐体外において水が収容された容器中に、次亜塩素酸水生成用の粉末を投入して次亜塩素酸水を生成するので、極めて容易に、次亜塩素酸水を生成することが出来、作業効率の向上を図ることが可能となる。
【００１４】  また、この考案に係わる空間除菌清浄化装置は、請求項３の記載によれば、前記次亜塩素酸水は、前記筐体内で、水が収容された前記貯水槽に、次亜塩素酸水生成用の粉末を投入することにより生成されることを特徴としている。
【００１５】  このように、請求３に記載の空間除菌清浄化装置を構成することにより、筐体内において、水が収容された前記貯水槽に、次亜塩素酸水生成用の粉末を投入することにより次亜塩素酸水を生成するので、次亜塩素酸水が筐体外に漏れ出ることが効果的に防止される効果が達成されることになる。
【００１６】  また、この考案に係わる空間除菌清浄化装置は、請求項４の記載によれば、前記貯水槽内に貯留された次亜塩素酸水は、電解生成され得る次亜塩素酸水の濃度よりも濃い濃度に設定されていることを特徴としている。
【００１７】  このように、請求項４に記載の空間除菌清浄化装置を構成することにより、次亜塩素酸水を生成するための粉末における含有濃度を高く設定するか、該粉末の導入量を多く設定することにより、次亜塩素酸水を電解生成する場合と比較して、より濃い濃度に簡易に設定することができる効果が達成されることになる。
【００１８】  また、この考案に係わる空間除菌清浄化装置は、請求項５の記載によれば、前記次亜塩素酸水生成用の粉末は、ジクロロイソシアヌル酸塩を主成分とすることを特徴としている。
【００１９】  このように、請求項５に記載の空間除菌清浄化装置を構成することにより、次亜塩素酸水を確実に生成することが可能となる。
【００２０】  また、この考案に係わる空間除菌清浄化装置は、請求項６の記載によれば、前記除菌フィルタは、次亜塩素酸水を含侵した状態で、ここを通風する空気中に存在するウィルスを該次亜塩素酸により不活化することを特徴としている。
【００２１】  このように、請求項６に記載の空間除菌清浄化装置を構成することにより、吸気口から取り入れられた外気に含まれるウィルスは、除菌フィルタを通風することにより、次亜塩素酸により確実に不活化されることになる。
【００２２】  また、この考案に係わる空間除菌清浄化装置は、請求項７の記載によれば、前記次亜塩素酸水は、微酸性に調整されていることを特徴としている。
【００２３】  このように、請求項７に記載の空間除菌清浄化装置を構成することにより、次亜塩素酸水中の次亜塩素酸の存在比率を可及的に高く維持することができることとなり、除菌効率の向上を図ることが可能となる。
【００２４】  また、この考案に係わる空間除菌清浄化装置は、請求項８の記載によれば、前記ＨＥＰＡフィルタは、ＰＭ２．５の除塵能力を発揮するよう形成されていることを特徴としている。
【００２５】  このように、請求項８に記載の空間除菌清浄化装置を構成することにより、外気中からＰＭ２．５の微細な塵が除塵され、貯水槽に回収される次亜塩素酸水にＰＭ２．５の微細な塵が混入することが確実に防止されることになる。
【００２６】  また、この考案に係わる空間除菌清浄化装置は、請求項９に記載によれば、前記ＨＥＰフィルタよりも、吸気口側の前記送風路内に、該送風路内を送付される空気を脱臭する脱臭フィルタが配設されていることを特徴としている。
【００２７】  このように、請求項９に記載の空間除菌清浄化装置を構成することにより、この装置から排気される除菌清浄化済の空気は、更に、脱臭されることとなり、この装置が設置される周囲の空間の空気の質は、更に向上されることになる。
【００２８】  また、この考案に係わる空間除菌清浄化装置は、請求項１０の記載によれば、前記脱臭フィルタは、活性炭を含有することを特徴としている。
【００２９】  このように請求項１０に記載の空間除菌清浄化装置を構成することにより、脱臭フィルタに含有された活性炭により、この装置から排気される除菌清浄化空気は、更に確実に、脱臭されることとなり、この装置が設置される周囲の空間の空気の質は、更に確実に向上されることになる。
【考案の効果】
【００３０】  この考案によると、次亜塩素酸水を用いて空間を除菌すると共に清浄化する空間除菌清浄化装置において、次亜塩素酸水の濃度を広範囲に設定することが出来、特に、電解により生成される次亜塩素酸水の濃度よりも高い濃度の次亜塩素酸水を用いて除菌することにより、確実な除菌効果を得ることのできる空間除菌清浄化装置が提供されることになる。
【図面の簡単な説明】
【００３１】
【図１】本考案の実施形態に係る空間除菌清浄化装置の外観を前方から見た斜視図である。
【図２】図１の空間除菌清浄化装置の外観を、後方から見た斜視図である。
【図３】図１の空間除菌装置の内部構造を示す分解斜視図である。
【図４】図１の空間除菌清浄化装置の垂直断面図である。
【図５】図１の空間除菌清浄化装置の垂直断面図で、図２と反対の方向に視点を置き、且つ断面箇所を異ならせたものである。
【図６】図１の空間除菌清浄化装置の水平断面図である。
【図７】図１の空間除菌清浄化装置の筐体に挿入される、空間除菌装置保持状態の水受けパンと、それに組み合わせられる筐体内部材の斜視図である。
【図８】図１の空間除菌清浄化装置の垂直断面図で、図２及び図３と直角の方向に断面したものである。
【図９】空間除菌装置保持状態の水受けパンの垂直断面図である。
【図１０】空間除菌装置保持状態の水受けパンの垂直断面図で、図９のＡ−Ａ線の位置で断面したものである。
【図１１】空気除菌装置保持状態の水受けパンの垂直断面図で、図９のＢ−Ｂ線の位置で断面したものである。
【図１２】空気除菌装置非保持状態の水受けパンの斜視図である。
【図１３】空気除菌装置保持状態の水受けパンの上面図である。
【図１４】空気除菌装置非保持状態の水受けパンの上面図である。
【図１５】空気除菌装置非保持状態の水受けパンの垂直断面図である。
【図１６】背面側から見た送風装置の斜視図である。
【図１７】図６と同様の空間除菌清浄化装置の垂直断面図で、図６と反対の方向に視点を置いて示す図である。
【考案を実施するための形態】
【００３２】  以下に、添付図面を参照して、この考案に係わる空間除菌清浄化装置の一実施形態の構成を、詳細に説明する。まず、この一実施例の空間除菌清浄化装置１０は、図１乃至図３に示すように、前後方向に偏平で前面が全面的に開放された筐体１２と、この筐体１２の開放された前面を全面的に開放可能に覆う前カバー１４とを備えている。尚、以下の説明において、筐体１０の説明に用いる方位表現については、図１における紙面左側が左、紙面右側が右、と定義する。他の構成要素の説明に用いる方位表現もこれにならうものとする。
【００３３】  図１及び図３に示すように、筐体１０の上面前方には操作パネル１６が配置されている。この操作パネル１６には、各種指令を入力するスイッチ群と、空間除菌清浄化装置１０の運転状況その他の情報を表示するランプ群が配置されている。スイッチ群はメンブレンスイッチにより構成され、ランプ群は発光ダイオード（ＬＥＤ）により構成される。
【００３４】  また、図３に示すように、前カバー１４の前面の底縁には、横方向に延出するスリット状の吸気口１８、及び、これの両側縁には、夫々縦方向に延出する凹み状の吸気口１８が形成され、また、図１及び図２に示すように、筐体１２の上面後方に排気口２０が形成されている。排気口２０にはこれを閉塞可能に開放する上ルーバー２２が取り付けられ、排気口２０から手指等が差し込まれるのを防ぐと共に、装置内への塵の侵入を防いでいる。
【００３５】  図４及び図５に示すように、筐体１２の内部には、一方の端が吸気口１２、他方の端が排気口２０となった空気流通経路（送風路）２２が形成されている。空気流通経路２２には、吸気口１８を起点とした上流側から排気口２０を終点とした下流側に向けて、空気清浄化装置２４、空気除菌装置２６、及び送風装置２８が順に配置されている。
【００３６】  図３に具体的に示すように、空気清浄化装置２４は、空気流通経路２２の最も上流側に配置され、装置１０内に吸気口１８から導入（吸気）した外気（空気）中の粗い塵を除塵すると共に臭気を活性炭を介して脱臭する脱臭フィルタ３０と、この脱臭フィルタ３０と筐体１２の開口との間に介設されたＰＭ２．５クラスのＨＥＰＡフィルタ３２からなる微細塵用の除塵フィルタとを備えて構成されている。
【００３７】  送風装置２８は、３箇所の吸気口１８から吸い込まれ、排気口２０から排出される空気流を形成すものであって、シロッコファン３４及びそれを回転させるモータ３６と、シロッコファン３４を囲むファンケーシング３８とを備えて構成されている。ファンケーシング３８には排気口２０に接続する吐出口３８ａ（図１６に最も良く形状が表れている）が形成されている。
【００３８】  次に、図４乃至図８を参照して、空気除菌装置２６の構造を詳細に説明する。この空気除菌装置２６には、これに除菌用の次亜塩素酸水を供給する給水装置４０が設けられている。この給水装置４０は、筐体１２の右側面から着脱可能に挿入される、引出式の水受けパン４２を中心として構成される。この水受けパン４２の右側面と、その上に着脱可能に取り付けられるカバー４４は、筐体１２の外殻の一部を構成する。水受けパン４２の右側面には、操作者の手を掛けるための凹部４６が形成されている。
【００３９】  水受けパン４２は、図７乃至図１２に示すように、空気除菌装置２６を構成する除菌機構４８（後に詳述する。）と共に、約５リットルの次亜塩素酸水が予め貯留される除菌水供給タンク５０を支持するように構成されている。尚、この発明の特徴の一つを構成する点であるが、この除菌水供給タンク５０は、筐体１２から取り外された（即ち、水受けパン４２から外され）状態で、水道水が貯留されると共に、次亜塩素酸水生成用の粉末が混入・溶解されていて、除菌水供給タンク５０中の次亜塩素酸水は電解により生成される次亜塩素酸水の次亜塩素酸濃度（約５ｐｐｍ〜１５ｐｐｍ）よりも高く設定された濃度の次亜塩素酸水が、除菌水として予め収容されている。換言すれば、この実施例においては、除菌水としては、電解生成された次亜塩素酸水を用いるものではなく、次亜塩素酸水生成用の粉末を水に溶解させることにより生成された次亜塩素酸水が用いられるものである。
【００４０】  ここで、この一実施例においては、次亜塩素酸水生成用の粉末は、主としてジクロロイソシアヌル酸塩を主成分とする化合物から規定されている。このように、主としてジクロロイソシアヌル酸塩を主成分とする化合物から次亜塩素酸水生成用の粉末を規定することにより、これを水道水に溶解させることにより、確実に、次亜塩素酸水が生成されることとなる。
【００４１】  水受けパン４２の右端には、図３及び図６に示すように、除菌水供給タンク５０から供給される次亜塩素酸水を除菌水として一旦受ける除菌水受け部５２が規定されている。除菌水受け部５２には、除菌水供給タンク５０の図示しないバルブを押し開ける突起５４が形成されている。
【００４２】  このように除菌水の入った除菌水供給タンク５０を水受けパン４２の除菌水受け部５２上にセットすると、突起５４により除菌水供給タンク５０の図示しないバルブが押し開けられ、後述するように所定水位（図９〜図１１で示す水位線ＷＬ）まで除菌水が水受けパン４２全体に供給されるように構成されている。
【００４３】  水受けパン４２には、図１４に示すように、除菌水受け部５２の他、除菌水供給部５６が、それぞれ隔壁によって区画されており、これら除菌水受け部５２及び除菌水供給部５６は、互いに除菌水が流通可能な状態になされている。ここで、除菌水供給部５６は、除菌水受け部５２から流入してきた除菌水を、後述する除菌機構４８を介して除菌フィルタ７６に上方から掛け落として含水させるように供給するためと、除菌フィルタ７６に上方から掛け落とされた除菌水のうち、除菌フィルタ７６に含侵されなかった余剰除菌水を回収するように設けられている。
【００４４】  除菌水受け部５２と除菌水供給部５６との間には、連通部５２ａが形成されている。この連通部５２ａにより、水受けパン４２の水位は同一に保たれることになる。尚、連通部５２ａは、図１２に示すように、隔壁を貫通する小孔により構成されている。
【００４５】  水受けパン４２の左端外面には、図１１に示すように、空気除菌装置２６に電流を供給するためのコネクタ６６が取り付けられている。ここで、水受けパン４２を筐体１２の奥まで押し込むと、筐体１２の内部に設けられた図示しないコネクタにコネクタ６６が係合し、図示しない電源及び制御装置と結線され、空気除菌装置２６に対する給電が可能となる。
【００４６】  一方、水受けパン４２には、図１２に示すように、除菌水供給部５６の正面側の側壁上端とこれの裏面側の側壁上端から、対をなす支柱６８が互いに向かい合う形で立設されている。各支柱６８の互いに対向する面の上端には、上方に開いたＵ字形の軸受部７０が形成されている。両軸受部７０に除菌装置４８の支軸７２ｅ（後述する。）が回転自在に支持される。
【００４７】  続いて、空気除菌装置２６の主たる構成要素としての除菌機構４８の構造を説明する。この除菌機構４８は、水車のような形状のホイール７２を備えている。このホイール７２は中心にハブ７２ａ、周縁にリム７２ｂを有し、ハブ７２ａとリム７２ｂとを、複数の正面側スポーク７２ｃと複数の背面側スポーク７２ｄとで強固に連結した構造となっている。
【００４８】  詳述すると、図８に示すように、ホイール７２は、正面側スポーク７２ｃ、リム７２ｂ、及び内側のハブ部７２ａ１を有するホイールベース７２ｌと、背面側スポーク７２ｄ、外側のハブ部７２ａ２、及び後述する入力歯車７２ｆを有するホイールキャップ７２ｍとを備えて構成され、ホイールベース７２ｌにホイールキャップ７２ｍを、ハブ７２ａ１、７２ａ２同士を嵌め合わせて結合することにより構成されている。内外両ハブ部７２ａ１、７２ａ２を互いに合わせたものがハブ７２ａとなる。
【００４９】  ハブ７２ａからは前後に支軸７２ｅが突き出しており、この支軸７２ｅの両端を、両支柱６８の軸受部７０に夫々落とし込むことにより、ホイール７２は水平軸線まわりに回転自在に支持される。
【００５０】  ホイール７２には除菌部７４（図９参照）が設けられている。除菌部７４を主として構成するのは、ディスク状の除菌フィルタ７６である。除菌フィルタ７６は保水能力と通風性を兼ね備えた素材、例えばネットや不織布からなり、背面側スポーク７２ｄの前面に取り付けられる。
【００５１】  除菌フィルタ７６は、平板状のまま取り付けられるのでなく、所定の起伏（立体）形状を呈するように取り付けられる。好適する実施形態では、図８に示すように、除菌フィルタ７６の中心部を正面側スポーク７２ｃの方に押し出し、周囲に円錐面７６ａを生じさせている。
【００５２】  詳述すると、ホイール７２の背面側スポーク７２ｄには、円錐面７６ａを形成するための傾斜面７２ｈを有するリブ７２ｉが突設され、一方、正面側スポーク７２ｃの裏側には、傾斜面７２ｈと向かい合う位置に、傾斜面７２ｈと同じ傾斜面７２ｊを有するリブ７２ｋが突設されている。そして、ホイールベース７２ｌとホイールキャップ７２ｍを結合する際に両リブ７２ｉと７２ｋの間に除菌フィルタ７６を挟み込むことにより、除菌フィルタ７６を平板状でない所定の起伏（立体）形状にしている。
【００５３】  ホイール７２のリム７２ｂには、一面が開口された複数（図では６個）のバケット７８が、一定の角度間隔で配置される。各バケット７８は、別部品をリム７２ｂに取り付けてもよく、リム７２ｂに一体成型してもよい。
【００５４】  全てのバケット７８が開口を一定方向に向けて配置されている。ホイール７２が回転し、バケット７８がリム７２ｂの最下部まで移動した時、バケット７８は除菌水供給部５６の除菌水中に沈み、除菌水がバケット７８内に浸入する。そして、ホイール７２が更に回転して、自重によりバケット７８の開口が上を向くように回転すると、バケット７８は除菌水を汲み上げる事になる。バケット７８がリム７２ｂの上部に来て、その開口が横向きになるにつれ、汲み上げた除菌水が滴下する。ここで、除菌フィルタ７６の円錐面７６ａは、除菌水の落下進路に干渉しており、滴下する除菌水は、除菌フィルタ７６上に掛け落とされることになる。
【００５５】  尚、除菌フィルタ７６に上方から掛け落とされた除菌水のうち、除菌フィルタ７６に含侵されなかった余剰の次亜塩素酸水は、水受けパン４２の除菌水供給部５６に落下し、ここに再び回収されることになる。
【００５６】  ここで、ホイール７２を回転させるモータ８０は、水受けパン４２にではなく、筐体１２の内部の隔壁１２ａ（図７参照）に支持されている。モータ８０は出力歯車８０ａを有している。出力歯車８０ａは、モータ８０と同じく隔壁１２ａに支持された中間歯車８２に噛合している。この中間歯車８２には、ホイール７２のホイールキャップ７２ｍの外周部に一体成型ないし固定された入力歯車７２ｆが噛み合っている。尚、入力歯車７２ｆが中間歯車８２に噛み合うのは、水受けパン４２を筐体１２内の最も奥まで押し込んだときに設定されている。
【００５７】  ホイール７２の周囲を囲い８４（図７参照）が取り巻き、囲い８４の内部が、上述したファンケーシング３８の吸気口３８ｂに連通している。囲い８４は、隔壁１２ａに一体成型した部分囲い８４ａと、水受けパン４２に一体成型した部分囲い８４ｂとにより構成される。水受けパン４２を筐体１２内の最も奥まで押し込んだとき、部分囲い８４ａに部分囲い８４ｂが接合し、囲い８４が完成するように設定されている。
【００５８】  以上のように構成される空間除菌清浄化装置１０において、次に、空間除菌清浄化装置１０の動作を説明する。
【００５９】  先ず、除菌水供給タンク５０の中に次亜塩素酸水が十分残っていれば、除菌水受け部５２及び除菌水供給部５６の夫々の内部には、図９〜図１１に夫々示す水位線ＷＬの高さまで水が溜まっている状態である。除菌水供給タンク５０の中の水が残り少なく、水位が水位線ＷＬより下がっている状態であれば、図示しないセンサがそれを検知し、操作パネル１６に水不足の旨の表示が出る。水不足の表示を見たときは、操作者は、カバー４４を外し、除菌水供給タンク５０を取り出して、中に水道水を補給し、次亜塩素酸水生成用の粉末を溶解させて、次亜塩素酸水を生成する。除菌水としての次亜塩素酸水の補給後、除菌水供給タンク５０を水受けパン４２の上に置くと、除菌水供給タンク５０から流れ出す除菌水によって水位が水位線ＷＬの高さまで回復し、水不足の表示は消える。外しておいたカバー４４を元通りはめ込めば、空間除菌清浄化装置１０の運転が可能になる。
【００６０】  一方、空間除菌清浄化装置１０を通常運転モードで運転すると、送風装置２８のモータ３６及び除菌機構４８のモータ８０に給電が行われ、これらの構成要素は図示しない制御装置によるそれぞれ定められた制御内容に従って動作を開始するが、本願考案の特徴を構成するものでないので、その説明を省略する。
【００６１】  一方、除菌機構４８を構成するモータ８０は、ホイール７２を所定のゆっくりとした回転速度で回転させる。ホイール７２の回転方向は、ホイール７２を正面側から示す図１０においては反時計方向回りに、ホイール７２を背面側から見ている図１１においては時計方向回りとなる。ホイール７２がこの方向に回転するのに伴い、バケット７８は除菌水供給部５６から除菌水を汲み上げて、除菌フィルタ７６に上方から掛け落とすという動作を繰り返す。
【００６２】  ここで、モータ８０への通電により、シロッコファン３２が回転すると、吸気口１８→空気清浄化装置２４→空気除菌装置２６→送風装置２８→排気口２０という空気の流れが空気流通経路２２に発生する。
【００６３】  一方、吸気口１８から吸い込まれた空気（外気）は、空気清浄化装置２４の脱臭フィルタ３０を通過する際に、臭いを脱臭されると共に粗い塵埃が除塵され、引き続くＨＥＰＡフィルタ３２を通過する際に、ＰＭ２．５の微細な塵埃を捕捉されて清浄になり、除菌フィルタ７６を通過する際に、この除菌フィルタ７６に保持されている除菌水と接触して、除菌水を構成する次亜塩素酸水に含まれる次亜塩素酸により、外気は除菌され、特に外気に含まれるウィルスは不活化されることになる。
【００６４】  一方、この除菌水が含侵された除菌フィルタ７６を通風する際に、外気は除菌水を帯びる（含む）ようになる。このように除菌水を帯びた空気は、送風装置２８に吸い込まれ、排気口２０から装置１０外に排気され、装置１０の周囲の空間に放出されることとなる。この結果、除菌水を帯びて放出された空気は、装置１０の周囲の空間を、除菌することになる。具体的には、排気口２０から排気された排気中に含まれる除菌水により、この装置１０の周囲の空間中に存在する種々の菌が除菌されると共に、周囲の空間に存在する機器類の表面に付着している菌も、除菌されることになる。
【００６５】  一方、除菌フィルタ７６に上方からかけられた除菌水は、除菌フィルタ７６に保持されえなかった剰余分が、自重により下方に落下し、除菌水供給部５６に回収され、再び、上記除菌動作に供されることになる。ここで、除菌フィルタ７６から回収された除菌水は、除菌フィルタ７６を通過する空気が、ＨＥＰＡフィルタ３２により、微細な塵埃を除塵されて清浄化されているので、当然に、微細な塵埃を含まない清浄化された除菌水となっている。この結果、除菌フィルタ７６から落下してきて除菌水供給部５６に回収された除菌水が、除菌水供給部５８に既に貯水されている除菌水を、微細な塵埃で汚染することは、効果的に防止されることとなる。
【００６６】  このように、除菌フィルタ７６から除菌水が回収されることにより、除菌水供給部５６の除菌水は、常に補充されて、除菌に必要となる最低限の量しか、消費されないこととなり、これにより、除菌水給水タンク５０における除菌水の消費量が可及的に抑制され、除菌水給水タンク５０における除菌水の補充作業が軽減される効果を達成することが出来る。
【００６７】  また、除菌フィルタ７６から回収されてきた除菌水は、ＨＥＰＡフィルタ３２により微細な塵埃まで除塵されて清浄化されているので、除菌水供給部５６回収される除菌水を、微細な塵埃で汚染することが無く、既に除菌水供給部５６内に貯水されている除菌水（次亜塩素酸水）を、微細な塵埃で汚染することも、効果的に抑制されることになる。
【００６８】  また、この実施形態の構成では、空気清浄化装置２４にも空気除菌装置２６にも、送風装置２８の吐出力でなく吸引力が作用するから、空気除菌装置２６が大きな抵抗にならず、送風量の低下が少なくて済む効果が達成される。また、除菌フィルタ７６を濡らすのが除菌水であるから、除菌フィルタ７６自体を除菌することができることになる。
【００６９】  更に、この実施形態の構成においては、空気清浄化装置２２を通過して清浄化された空気に除菌水を含ませていて、これだけで、室内空間を充分に除菌・脱臭することが出来るものであるため、従来のようなミスト発生装置も、ミスト送風装置も必要とならず、装置１０全体の構成の簡略化及び小型化及びコスト減を図ることが出来ることとなる。
【００７０】  空間除菌清浄化装置１０を長期間使用していると、水が接触する箇所に水中のミネラルがスケールとなって付着する。実施形態の構成では、水が接触する箇所が水受けパン４２を中心にまとまっているので、水受けパン４２を引き出せば、水関係のメンテナンスが必要な箇所を筐体１２の外に出すことができる。これにより、メンテナンスが楽になる。
【００７１】  以上、この考案の実施形態につき説明したが、この考案はこれに限定されるものではなく、この考案の主旨を逸脱しない範囲で種々の変更が可能であることはいうまでもない。
【産業上の利用可能性】
【００７２】  この考案は、室内の除菌・清浄化に寄与するものであり、室内として、一般家庭の室内に留まらず、医療施設等の寝室・病室・手術室・処置室等にも、また、業務用の事務室等、人員が集まる部屋（空間）の環境改善等にも、広く利用可能であることはいうまでもない。
【符号の説明】
【００７３】１０  空間除菌清浄化装置
１２  筐体
１４  前カバー
１６  操作パネル
１８  吸気口
２０  排気口
２２  空気流通経路
２４  空気清浄化装置
２６  空気除菌装置
２８  送風装置
３０  脱臭フィルタ
３２  ＨＥＰＡフィルタ
３４  シロッコファン
３６  モータ
３８  ファンケーシング
３８ａ  吐出口
３８ｂ  吸気口
３８ｃ  副吐出口
４０  給水装置
４２  水受けパン
４４  カバー
４６  凹部
４８  除菌機構
５０  除菌水供給タンク
５２  除菌水受け給部
５２ａ  連通部
５４  突起
５６  除菌水供給部
６８  支柱
７０  軸受け部
７２  ホイール
７２ａ  ハブ
７２ａ１  内側ハブ部
７２ａ２  外側ハブ部
７２ｂ  リム
７２ｃ  正面側スポーク
７２ｄ  背面側スポーク
７２ｅ  支軸
７２ｆ  入力歯車
７２ｌ  ホイールベース
７２ｍ  ホイールキャップ
７２ｈ  傾斜面
７２ｉ  リブ
７２ｊ  傾斜面
７２ｋ  リブ
７４  除菌部
７６  除菌フィルタ
７６ａ  円錐面
７８  バケット
３４Ａ  係合部
８０  モータ
８０ａ  出力歯車
８２  中間歯車
８４  囲い
８４ａ  部分囲い
８４ｂ  部分囲い
【図１】
0003228240.tif 000003
【図２】
0003228240.tif 000004
【図３】
0003228240.tif 000005
【図４】
0003228240.tif 000006
【図５】
0003228240.tif 000007
【図６】
0003228240.tif 000008
【図７】
0003228240.tif 000009
【図８】
0003228240.tif 000010
【図９】
0003228240.tif 000011
【図１０】
0003228240.tif 000012
【図１１】
0003228240.tif 000013
【図１２】
0003228240.tif 000014
【図１３】
0003228240.tif 000015
【図１４】
0003228240.tif 000016
【図１５】
0003228240.tif 000017
【図１６】
0003228240.tif 000018
【図１７】
0003228240.tif 000019